(57)【要約】【課題】  バンドの装着時の不快感を抑制することができる携帯型電子機器等の提供。【解決手段】  携帯型電子機器１００は、被検体に装着するためのバンド１１を含む。バンド１１は、複数の嵌合穴１６と、装着時に被検体側を向く面である第１の面２１と、装着時に被検体と逆側を向く面である第２の面２２を有し、バンド１１の短辺方向に沿った断面における第１の面２１側の輪郭線は、凸部を有する。そして、第２の面２２に対応する面を基準面とし、第１の面２１における嵌合穴１６に対応する位置を穴位置とした場合に、基準面から穴位置までの高さは、基準面から凸部までの高さよりも低い。【選択図】  図１
2017196104.tif 000002
【特許請求の範囲】
【請求項１】
被検体に装着するためのバンドを含み、
前記バンドは、
複数の嵌合穴と、
装着時に前記被検体側を向く面である第１の面と、
前記装着時に前記被検体と逆側を向く面である第２の面と、
を有し、
前記バンドの短辺方向に沿った断面における前記第１の面側の輪郭線は、
凸部を有し、
前記第２の面に対応する面を基準面とし、前記第１の面における前記嵌合穴に対応する位置を穴位置とした場合に、
前記基準面から前記穴位置までの高さは、
前記基準面から前記凸部までの高さよりも低いことを特徴とする携帯型電子機器。
【請求項２】
請求項１において、
前記バンドの前記短辺方向に沿った前記断面における前記第１の面側の前記輪郭線は、
前記凸部と凹部を有することを特徴とする携帯型電子機器。
【請求項３】
請求項２において、
前記基準面から前記穴位置までの高さをｈ１とし、前記基準面から前記凸部までの高さをｈ２とし、前記基準面から前記凹部までの高さをｈ３とする場合に、
ｈ２＞ｈ１＞ｈ３であることを特徴とする携帯型電子機器。
【請求項４】
請求項２又は３において、
前記バンドは、
前記第１の面及び前記第２の面に交差する第１の側面及び第２の側面を有し、
前記第１の面において、前記第１の側面及び前記第２の側面に対応する位置を側面位置とし、前記基準面から前記凸部までの高さをｈ２とし、前記基準面から前記側面位置までの高さをｈ４とする場合に、
ｈ２＞ｈ４であることを特徴とする携帯型電子機器。
【請求項５】
請求項４において、
前記基準面から前記凹部までの高さをｈ３とする場合に、ｈ２＞ｈ４＞ｈ３であることを特徴とする携帯型電子機器。
【請求項６】
請求項３乃至５のいずれかにおいて、
０．１０ｍｍ≦（ｈ２−ｈ１）≦１．０ｍｍであることを特徴とする携帯型電子機器。
【請求項７】
請求項１乃至６のいずれかにおいて、
前記嵌合穴は、
前記凸部の最も高い位置を除く位置に形成されることを特徴とする携帯型電子機器。
【請求項８】
請求項１乃至７のいずれかにおいて、
前記バンドの前記短辺方向に沿った前記断面における前記第１の面側の前記輪郭線は、
前記凸部と凹部を有し、
前記嵌合穴は、
前記凸部の最も高い位置と前記凹部の最も低い位置を除く位置に形成されることを特徴とする携帯型電子機器。
【請求項９】
請求項１乃至８のいずれかにおいて、
前記バンドの前記短辺方向に沿った前記断面における前記第１の面側の前記嵌合穴の輪郭線は、
前記基準面に対して傾いていることを特徴とする携帯型電子機器。
【請求項１０】
請求項１乃至９のいずれかにおいて、
前記バンドの前記短辺方向に沿った前記断面における前記第１の面側の前記輪郭線は、
前記穴位置に対して点対称であることを特徴とする携帯型電子機器。
【請求項１１】
請求項１乃至１０のいずれかにおいて、
前記バンドは、
前記バンドの長辺方向に沿った断面における前記第１の面側の輪郭線がウェーブ形状を有することを特徴とする携帯型電子機器。
【請求項１２】
請求項１において、
前記バンドの前記短辺方向に沿った断面における前記第１の面側の前記輪郭線は、
凸部と平坦部を有し、
前記平坦部に前記嵌合穴が設けられることを特徴とする携帯型電子機器。
【請求項１３】
請求項１乃至１２のいずれかにおいて、
被検体の活動情報を検出する活動情報検出部を含むことを特徴とする携帯型電子機器。
【請求項１４】
被検体に装着するためのバンドを含み、
前記バンドは、
複数の嵌合穴と、
装着時に前記被検体側を向く面である第１の面と、
前記装着時に前記被検体と逆側を向く面である第２の面と、
を有し、
前記バンドの短辺方向に沿った断面における前記第１の面側の輪郭線は、
凸部を有し、
前記第２の面に対応する面を基準面とした場合に、
前記嵌合穴は、
前記バンドの前記短辺方向に沿った前記断面において、前記基準面との距離が最大となる位置を除く位置に形成されることを特徴とする携帯型電子機器。
【発明の詳細な説明】
【技術分野】
【０００１】
本発明は、携帯型電子機器等に関係する。
【背景技術】
【０００２】
近年、従来の活動計のみならず、例えばランニングウォッチ等の激しい動きをする際に用いられるスポーツ機器でも、活動情報をセンシングする必要が高まっている。そして、このような活動計やウォッチ（時計）等を、例えば被検体の腕などに固定するために用いるバンドも発明されている。そのような従来技術としては、例えば特許文献１や特許文献２に記載される技術がある。
【先行技術文献】
【特許文献】
【０００３】
【特許文献１】特開２０１０−１１０６３４号公報
【特許文献２】特開平０７−２１３３１２号公報
【発明の概要】
【発明が解決しようとする課題】
【０００４】
前述したランニングウォッチ等の激しい動きをする際に用いられるスポーツ機器では、発汗によりバンドを装着している部分が蒸れて、痒みや痛み、かぶれ等が発生する場合がある。そのため、バンドの装着部位の通気性を上げて、蒸れにくくする必要がある。
【０００５】
バンドの装着部位の通気性を上げる一般的な方法としては、バンドに貫通する穴を多数空けることで、肌の一部をバンドの間から露出させ、空気に触れさせる方法がある。この方法では、貫通穴とバンドの裏面からなる稜線が肌に当たるため、強くバンドを締め付けた場合、穴の形状が肌に痕として残ることがある。それだけでなく、この穴形状のラインに沿って痒みや痛みが発生することがあるため、穴を空けるだけでは上記問題の対策は不十分である。
【０００６】
また、穴を多数空けると外観にも影響を与え、品位を下げてしまうことがある。運動時に装着するスポーツウォッチでは問題はないが、例えば会議や商談などの社会活動の場や、普段の生活でも使用される活動量計のような機器では、外観も重要である。
【０００７】
これらの点に対して、特許文献１では、腕時計型の生体情報測定装置の装着感について言及した記載はない。また、特許文献２では、時計のバンドの形状について種々の形態が開示されているが、ケース部が動かないようにしっかりと手首に固定すること、長時間装着し続けることなど、生体情報測定装置ならではの課題に対しては、言及されていない。
【０００８】
本発明の幾つかの態様によれば、バンドの装着時の不快感を抑制することができる携帯型電子機器等を提供することができる。
【課題を解決するための手段】
【０００９】
本発明の一態様は、被検体に装着するためのバンドを含み、前記バンドは、複数の嵌合穴と、装着時に前記被検体側を向く面である第１の面と、前記装着時に前記被検体と逆側を向く面である第２の面と、を有し、前記バンドの短辺方向に沿った断面における前記第１の面側の輪郭線は、凸部を有し、前記第２の面に対応する面を基準面とし、前記第１の面における前記嵌合穴に対応する位置を穴位置とした場合に、前記基準面から前記穴位置までの高さは、前記基準面から前記凸部までの高さよりも低い携帯型電子機器に関係する。
【００１０】
本発明の一態様では、バンドの短辺方向に沿った断面における第１の面側の輪郭線が、凸部を有しており、バンドの第２の面に対応する基準面から、第１の面側の穴位置までの高さは、基準面から凸部までの高さよりも低い。そのため、バンドの装着時には第１の面の凸部に対応する領域が、被検体の装着部位に当接し、第１の面において被検体と当接しない領域を形成して、通気性を向上させる。よって、バンドの装着時の不快感を抑制することが可能となる。
【００１１】
また、本発明の一態様では、前記バンドの前記短辺方向に沿った前記断面における前記第１の面側の前記輪郭線は、前記凸部と凹部を有していてもよい。
【００１２】
これにより、被検体がバンドを装着した際に、第１の面の輪郭線の凹部に対応する領域と、被検体の装着部位との間に隙間を形成すること等が可能になる。
【００１３】
また、本発明の一態様では、前記基準面から前記穴位置までの高さをｈ１とし、前記基準面から前記凸部までの高さをｈ２とし、前記基準面から前記凹部までの高さをｈ３とする場合に、ｈ２＞ｈ１＞ｈ３であってもよい。
【００１４】
これにより、バンドの短辺方向に沿った断面において、基準面に対して嵌合穴よりも盛り上がった領域と、基準面に対して嵌合穴よりも窪んだ領域とを形成すること等が可能になる。
【００１５】
また、本発明の一態様では、前記バンドは、前記第１の面及び前記第２の面に交差する第１の側面及び第２の側面を有し、前記第１の面において、前記第１の側面及び前記第２の側面に対応する位置を側面位置とし、前記基準面から前記凸部までの高さをｈ２とし、前記基準面から前記側面位置までの高さをｈ４とする場合に、ｈ２＞ｈ４であってもよい。
【００１６】
これにより、例えばバンドの側面の第１の面側の輪郭線が、バンドの装着時に被検体の装着部位に当接して、被検体が痛みを感じたり、肌にバンドの痕が残ったりすることを抑制することができる。
【００１７】
また、本発明の一態様では、前記基準面から前記凹部までの高さをｈ３とする場合に、ｈ２＞ｈ４＞ｈ３であってもよい。
【００１８】
これにより、例えばバンドの短辺方向の断面において、基準面からのバンドの側面の高さを一定にすること等が可能になる。
【００１９】
また、本発明の一態様では、０．１０ｍｍ≦（ｈ２−ｈ１）≦１．０ｍｍであってもよい。
【００２０】
これにより、バンドの薄さを確保しつつ、バンドと被検体の肌の間に空気の進入路を形成すること等が可能になる。
【００２１】
また、本発明の一態様では、前記嵌合穴は、前記凸部の最も高い位置を除く位置に形成されていてもよい。
【００２２】
これにより、例えばバンドの装着時に嵌合穴の縁が被検体の装着部位に当接して、被検体に痛みを感じさせたり、装着部位に嵌合穴の痕を付けたりすることを抑制すること等が可能になる。
【００２３】
また、本発明の一態様では、前記バンドの前記短辺方向に沿った前記断面における前記第１の面側の前記輪郭線は、前記凸部と凹部を有し、前記嵌合穴は、前記凸部の最も高い位置と前記凹部の最も低い位置を除く位置に形成されていてもよい。
【００２４】
これにより、例えばバンドの装着時に嵌合穴の縁や、バンド側面の第１の面側の輪郭線が被検体の装着部位に当接して、被検体に痛みを感じさせたり、装着部位に嵌合穴の痕を付けたりすることを抑制すること等が可能になる。
【００２５】
また、本発明の一態様では、前記バンドの前記短辺方向に沿った前記断面における前記第１の面側の前記嵌合穴の輪郭線は、前記基準面に対して傾いていてもよい。
【００２６】
これにより、基準面から嵌合穴の一端までの高さと、基準面から嵌合穴の他端までの高さを異ならせること等が可能になる。
【００２７】
また、本発明の一態様では、前記バンドの前記短辺方向に沿った前記断面における前記第１の面側の前記輪郭線は、前記穴位置に対して点対称であってもよい。
【００２８】
これにより、例えばバンドの短辺方向の断面における第１の面の輪郭線の形状を、穴位置を中心に逆の形状にすること等が可能になる。
【００２９】
また、本発明の一態様では、前記バンドは、前記バンドの長辺方向に沿った断面における前記第１の面側の輪郭線がウェーブ形状を有していてもよい。
【００３０】
これにより、バンドの第１の面において、短辺方向の輪郭線及び長辺方向の輪郭線の両方において、ウェーブ形状を形成すること等が可能になる。
【００３１】
また、本発明の一態様では、前記バンドの前記短辺方向に沿った断面における前記第１の面側の前記輪郭線は、凸部と平坦部を有し、前記平坦部に前記嵌合穴が設けられていてもよい。
【００３２】
これにより、バンドの第１の面の平坦部に対応する領域に空気を進入させやすくすること等が可能になる。
【００３３】
また、本発明の一態様では、被検体の活動情報を検出する活動情報検出部を含んでいてもよい。
【００３４】
これにより、装着時に被検体の活動情報を取得すること等が可能になる。
【００３５】
本発明の他の態様は、被検体に装着するためのバンドを含み、前記バンドは、複数の嵌合穴と、装着時に前記被検体側を向く面である第１の面と、前記装着時に前記被検体と逆側を向く面である第２の面と、を有し、前記バンドの短辺方向に沿った断面における前記第１の面側の輪郭線は、凸部を有し、前記第２の面に対応する面を基準面とした場合に、前記嵌合穴は、前記バンドの前記短辺方向に沿った前記断面において、前記基準面との距離が最大となる位置を除く位置に形成される携帯型電子機器に関係する。
【図面の簡単な説明】
【００３６】
【図１】本実施形態の携帯型電子機器の上面（表面）の斜視図。
【図２】本実施形態の携帯型電子機器の下面（裏面）の斜視図。
【図３】携帯型電子機器の装着状態の説明図。
【図４】バンドの裏面の斜視図。
【図５】バンドの表面の斜視図。
【図６】バンドの裏面の外観図。
【図７】バンドの表面の外観図。
【図８】バンドの側面の外観図。
【図９】バンドの側面の他の外観図。
【図１０】バンドの側面の他の外観図。
【図１１】バンドの側面の他の外観図。
【図１２】バンドの長辺方向に沿った断面図。
【図１３】バンドの長辺方向に沿った他の断面図。
【図１４】バンドの長辺方向に沿った他の断面図。
【図１５】バンドの側面の平面図。
【図１６】バンドの短辺方向に沿った断面図。
【図１７】バンドの短辺方向に沿った他の断面図。
【図１８】表面が平面でないバンドの短辺方向に沿った断面図。
【図１９】表面が平面でないバンドの短辺方向に沿った他の断面図。
【図２０】バンド装着時におけるバンドと被検体の装着部位の当接状態の説明図。
【図２１】極大点を含む領域に嵌合穴が形成されるバンドの短辺方向に沿った断面図。
【図２２】極小点を含む領域に嵌合穴が形成されるバンドの短辺方向に沿った断面図。
【図２３】比較例におけるバンドの斜視図。
【図２４】変形例におけるバンドの短辺方向に沿った断面図。
【図２５】１つのバンドを有する携帯型電子機器の説明図。
【発明を実施するための形態】
【００３７】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３８】
１．概要
ランニングウォッチ等のスポーツ機器では、発汗によりバンドの装着部位が蒸れて、痒みや痛み、かぶれ等が発生する場合がある。また、活動量計測機能付のリスト機器や脈波測定機能付のリスト機器は、一般的に装着する時間が長く、睡眠時にも装着する場合がある。この場合、常にバンドが肌に密着するため、バンドと肌が接する部位では、痒みやかぶれの問題が起きやすい。さらに脈波測定機能付のリスト機器の場合には、脈波測定の精度を確保するために、通常の時計よりも強く手首に巻きつける必要があるため、肌への密着がより強くなり、痛み等が発生する場合がある。
【００３９】
そのため、まずは発汗が原因の蒸れを防ぐために、バンドの装着部位の通気性を上げる必要がある。その一般的な方法としては、バンドに貫通する穴を多数空けて、肌の一部をバンドの間から露出させ、空気に触れさせる方法がある。この方法では、貫通穴とバンドの裏面からなる稜線が肌に当たるため、強くバンドを締め付けた場合には、穴の形状が肌に痕として残ることがある。それだけでなく、この穴形状のラインに沿って痒みや痛みが発生することもある。よって、穴を空けるだけでは、前述した装着時の痒みや痛み等の対策は不十分であると言える。
【００４０】
また、穴を多数空けると外観にも影響を与え、見た目の品位が下がる。そのため、ビジネスマナーを考慮した場合、例えば会議や商談などの社会活動の場では装着し辛いという新たな問題も生じる。特に、活動量計は長時間装着する必要がある場合も多いため、あらゆる場面に対応可能な外観であることが望ましい。
【００４１】
そこで、こうした問題を解決するために、本実施形態では、携帯型電子機器のバンドにおいて、手首に接触する面の形状を工夫する。具体的に本実施形態では、携帯型電子機器のバンドの手首側の面を、連続する波形状にする。
【００４２】
これにより、バンドと手首の設置面積を減少させ、バンドと手首の間に空気が通り易くする。その結果、汗によるバンドの蒸れや濡れを軽減できる。また、連続的に波形状が続くことにより、角ばった部位が肌に当たらないため、痛みや痒みの原因にもなりにくい。このように本実施形態によれば、バンドの装着部位における痒みや痛み、かぶれの発生を抑制することができる。さらに、バンドに対して、通気性確保のための貫通穴を空けないため、外観への影響もほとんどなく、あらゆる場面で装着することが可能になる。
【００４３】
２．携帯型電子機器の構成例
次に、本実施形態の携帯型電子機器１００の構成例を図１及び図２に示す。図１には、携帯型電子機器１００の上面（表面）の斜視図を示し、図２には、携帯型電子機器１００の下面（裏面）の斜視図を示す。また、図１及び図２の携帯型電子機器１００を被検体の手首２００に装着した様子を図３に示す。なお、図３では携帯型電子機器１００を被検体の手首２００に装着しているが、携帯型電子機器１００の装着位置は手首に限定されない。
【００４４】
本実施形態の携帯型電子機器１００は、第１のバンド１１と、第２のバンド１２と、ケース部３０と、表示部７０と、操作部８０と、を含む。また、図２に示すように、携帯型電子機器１００は、活動情報検出部（センサー部）９０と、を含む活動情報検出装置であってもよい。但し、携帯型電子機器１００は、図１及び図２の構成に限定されず、これらの一部の構成要素を省略したり、他の構成要素を追加したりするなどの種々の変形実施が可能である。また、ここでは本実施形態の特徴を分かりやすく説明するために、第１のバンド１１及び第２のバンド１２はケース部３０に固定された腕時計型の機器を例示するが、後述する図２５に示すように、第１バンドと第２バンドとが一体となり（図２５のバンド１０）、その間に設けられた格納穴にケース部３０を入れるような構成でも良い。
【００４５】
次に、携帯型電子機器１００の各部について説明する。第１のバンド１１は、ケース部３０の一端に取り付けられ、複数の嵌合穴１６を有する。第２のバンド１２は、ケース部３０の他端に取り付けられ、固定部（遊革、定革）１３と、美錠部（連結部）１４と、を有する。そして、バンド１１（１２）は、バンド１１（１２）の装着時に被検体側になる第１の面を有する。さらに本実施形態では、バンド１１（１２）の長辺方向に沿った断面において、第１の面側の輪郭線がウェーブ形状を有する。
【００４６】
例えば、図４及び図５に第１のバンド１１の外観図（斜視図）を示す。図４及び図５に示すように、第１のバンド１１は、第１のバンド１１（活動情報検出部９０）の装着時に被検体側を向く面、あるいは被検体に接触する面である第１の面２１と、第１のバンド１１の装着時に被検体と逆側を向く面、あるいは被検体に接触しない面である（外側になる）第２の面２２を有する。なお、以下では第１の面２１のことを裏面と呼び、第２の面のことを表面と呼ぶ。
【００４７】
次に、図６〜図１１には、第１のバンド１１の六面図を示す。図６はバンド１１の裏面２１側を示し、図７はバンド１１の表面２２側を示す。そして、図８及び図９はバンド１１の側面を示し、図１０はケースに装着される一端側から見たバンド１１を示し、図１１は、ケースに装着される一端と反対の他端側から見たバンド１１を示す。
【００４８】
さらに、図１２〜図１４には第１のバンド１１の断面図を示す。図１２には、図６のバンド１１の長辺方向ＬＤＲに沿ったＡ−Ａ’の断面を図示している。ここで、長辺方向とは、バンド１１の延伸方向、つまりケース部３０と接続されるバンド１１の一端から他端へ向かう方向、又はその逆方向である。図６の例では、方向ＬＤＲが長辺方向である。同様にして、図１３には図６のＢ−Ｂ’の断面を、図１４には図６のＣ−Ｃ’の断面をそれぞれ図示している。また、図１５には、バンド１１の側面に対応する図６のＤ−Ｄ’又はＥ−Ｅ’の形状を図示している。そして、図１３及び図１４の断面図に示すように、第１のバンド１１の長辺方向ＬＤＲに沿った断面において、裏面２１側の輪郭線がウェーブ形状を有し、表面２２側の輪郭線が平坦な形状を有する。一方、図１２及び図１５に示すように、図６のＡ−Ａ’、Ｄ−Ｄ’及びＥ−Ｅ’の位置では、裏面２１側の輪郭線はウェーブ形状ではない。なお、ここでは、第１のバンド１１の形状について説明するが、第２のバンド１２についても同様の形状が適用可能である。
【００４９】
また、断面における輪郭線（稜線）とは、断面を平面視した場合に、断面の輪郭（外枠、外周部）をなぞる線のことである。なお、その断面よりも後方に位置する形状の輪郭は、その断面の輪郭線ではない。一例として図１３では、バンド１１の断面における裏面２１側の輪郭線は、太線ＯＬで示す線のことであり、この輪郭線ＯＬがウェーブ形状になっている。あるいは、断面における輪郭線（稜線）とは、断面を投影視した場合の断面の輪郭線のことであるとしても良い。
【００５０】
ここで、前述したように、バンド１１（１２）において、装着者の肌に当たる部分に段差や尖った部分等があると、肌への強い刺激となり、痒みやかぶれの原因になってしまう。
【００５１】
これに対し、本実施形態のバンド１１（１２）の裏面２１の形状は、バンド１１（１２）の長辺方向（長手方向）に沿って連続するウェーブ形状であり、段差や尖った部分等がない。また、後述するように、裏面２１のウェーブ形状は、バンド１１（１２）の長辺方向と直交する短辺方向にも連続している。
【００５２】
ここで、短辺方向とは、前述した長辺方向と直交（交差）する方向、又はその逆方向である。図６の例では、方向ＳＤＲが短辺方向である。
【００５３】
また、ウェーブ形状とは、例えば、バンド１１（１２）の延伸方向（長辺方向）に沿った断面視、あるいはバンド１１（１２）の延伸方向（長辺方向）と直交する側面視において、複数の１波形形状（１波）が連なって構成される形状である。そして、ウェーブ形状を構成する複数の波形形状のうちの各波形形状は、例えば、位相がα°からβ°までは（α＜β）、裏面２１から表面２２への方向に向かうように変化し、位相がβ°からγ°までは（β＜γ）、表面２２から裏面２１への方向に向かうように変化する形状である。一例として、α＝０°、β＝１８０°、γ＝３６０°などが考えられる。なお、複数の波形形状のうちの各波形形状は、それぞれ異なる波形形状であってもよい。また、複数の波形形状のうちの各波形形状を半波形状等とする変形実施も可能である。そして、ウェーブ形状は、バンド１１（１２）と肌との接触部位と、非接触部位が周期的に、あるいは非周期的に繰り返す形状であってもよい。若しくは、ウェーブ形状は、バンド１１（１２）の延伸方向（長辺方向）に沿った断面視において、バンド１１（１２）の表面２２から裏面２１までの距離が、周期的に、あるいは非周期的に、連続して変化する形状であってもよい。さらに、ウェーブ形状は、バンド１１（１２）の表面２２から裏面２１の距離が極大となる点と、極小となる点とを有する形状であってもよい。このようなウェーブ形状は、肌とバンド１１（１２）の接触面積を減らす効果を持つ形状でありながら、肌への刺激が少ない形状である。そのため、痛みの原因にもなりにくく、使用後に肌に痕も残りにくい。皮下脂肪が多い人や女性、若い人など、肌の柔らかい人は、特に肌に痕が付きやすいため、痕が付きにくくなる効果が高い。
【００５４】
さらに、図３に示すように、ウェーブ形状の隙間から空気ＡＩＲが入り込むため、通気性も向上され、バンド１１（１２）と、腕などの装着部位との間に汗が溜まることを防ぐことができる。
【００５５】
よって、本実施形態によれば、バンド１１（１２）の装着部位における痒みや痛み、かぶれの発生を抑制することが可能となる。
【００５６】
また、前述したように、バンド１１（１２）の外側の表面は、ウェーブ形状でなくてもよく、例えば平坦な形状にしてもよい。また、通気性確保のために、多数の貫通穴を開ける必要もない。そのため、外観の品位を損なうことがなく、あらゆる場面に適応可能な外観にすることも可能である。
【００５７】
さて、その他の部分の説明に戻る。図１〜図３に示すように、固定部（遊革、定革）１３は、第１のバンド１１及び第２のバンド１２が連結された状態で、第１のバンド１１を第２のバンド１２に沿って固定する。図１及び図２に示すように、美錠部（尾錠部、連結部）１４は、係止部１５を有し、第１のバンド１１及び第２のバンド１２を連結する。第２のバンド１２は、美錠部１４の代わりに、バックルを有していても良い。
【００５８】
そして、係止部１５は、装着時に、複数の嵌合穴１６のうちのいずれか一つの嵌合穴と嵌合する。係止部１５は、例えば図１に示すように、金属棒やプラスチック棒により形成される。
【００５９】
また、複数の嵌合穴１６の各嵌合穴は、図１に示すように、第１のバンド１１を厚み方向に貫通する穴であり、第１のバンド１１に一定の間隔で設けられる。そして、携帯型電子機器１００の装着時には、複数の嵌合穴１６のいずれかの嵌合穴に係止部１５が挿入されることにより、第２のバンド１２を第１のバンド１１に係止することができる。さらに、複数の嵌合穴１６のうち、係止部１５を挿入する嵌合穴を選択することにより、被検体の装着部位を締め付けるバンドの長さを調節可能である。ただし、係止部１５は、図１に示すような一本の棒であるとは限らない。例えば、係止部１５が複数の棒を有しており、携帯型電子機器１００の装着時に、その複数の棒をそれぞれ、複数の嵌合穴の別々の嵌合穴に挿入して、第２のバンド１２を第１のバンド１１に係止するものであってもよい。また、係止部１５は、第１のバンド１１を挟み込んで（又は噛んで）係止するハサミ部などであってもよい。また、美錠部１４や係止部１５は、例えば金属部材や樹脂部材などの、バンドを構成する部材よりも硬度の高い材料で形成されるが、美錠部１４をバンド部材で覆う構成としても良い。このように構成することで、美錠部１４とバンドとの一体感が向上することで見た目が良くなるだけでなく、ユーザーの身体や周囲のものに接触した時の衝撃を和らげることができる。
【００６０】
そして、図２に示すように、ケース部３０には、被検体の活動情報を検出する活動情報検出部（センサー部）９０が設けられる。
【００６１】
活動情報検出部９０は、不図示の発光部と、不図示の受光部と、検出窓とを有しており、被検体に押し当てられた状態で、被検体の活動情報を検出する。具体的には、発光部から射出された光が、検出窓を介して、被検体に照射され、被検体から反射された光が、再度、検出窓を介して受光部に入射する。そして、活動情報検出部９０は、受光部が受光した反射光に基づいて、被検体の活動情報を検出する。ここで、検出窓は、発光部から射出される光と被検体から反射される反射光とを透過させる透明部材又は半透明部材により形成される。より具体的には、例えば検出窓は、透明のプラスチック等により形成される。そして、検出窓は、装着時において、発光部及び受光部と、被検体とを物理的に隔てる役割をする。また、受光部は、例えばフォトダイオード等の受光素子により実現でき、発光部は、例えばＬＥＤ等の発光素子により実現できる。
【００６２】
また、例えば活動情報検出部９０は体動センサーであり、活動情報は体動情報である。体動情報は、体動センサー（活動情報検出部９０）から取得される、被検体の体動を示す情報である。体動情報は、例えば被検体の移動距離、歩数、歩幅、移動時間、移動速度、加速度、加速度変動の絶対量、加速度変動の周波数、運動量、運動内容（活動内容）、ある単位時間あたりの標高差、標高、ジャイロセンサーから取得される情報、角速度変動の絶対量、角速度変動の周波数、地磁気センサーから取得される情報、地磁気変動の絶対量、地磁気変動の周波数、気圧センサー信号から取得される情報等を示す情報である。
【００６３】
体動センサー（活動情報検出部９０）としては、例えば加速度センサー等を用いることができる。また他にも、体動センサーは、ジャイロセンサーや、高度センサー、地磁気センサー、気圧センサー等であってもよい。また体動センサー３００は、例えばＧＰＳ（Global Positioning System）受信機等であってもよい。
【００６４】
さらに、表示部７０は、各種情報を表示する。表示部７０の機能は、例えば液晶ディスプレイや有機ＥＬディスプレイ、電子ペーパーなどにより実現できる。
【００６５】
そして、操作部８０は、ユーザーによる操作を受け付ける。操作部８０は、例えばボタンやスイッチ、タッチパネルなどにより実現できる。
【００６６】
３．バンドの形状の詳細な説明
次に、図１６〜図２３を用いて、本実施形態のバンドの形状について詳細に説明する。特に、以下ではバンドの短辺方向の断面に着目して、本実施形態のバンドの形状を説明する。例えば図１６には、図６に示すバンド１１のＦ−Ｆ’断面を図示し、図１７には、図６に示すバンド１１のＧ−Ｇ’断面を図示する。
【００６７】
例えば図１６の例では、バンドＢＤ（図６の１１）の短辺方向ＳＤＲに沿った断面（図６のＦ−Ｆ’断面）における裏面（図６の２１）側の輪郭線をＳＯＬとする。輪郭線ＳＯＬは、図１６のように短辺方向ＳＤＲに沿った断面を平面視した場合に、裏面側の断面の輪郭（外枠、外周部）をなぞる線のことである。
【００６８】
また、図１６の例では、表面（図７の２２）に対応する面を基準面ＢＳとし、裏面における嵌合穴ＨＬ（図６の１６）に対応する位置を穴位置ＨＬＰとする。
【００６９】
この時、輪郭線ＳＯＬは、凸部ＣＶを有する。そして、図１６に示すように、基準面ＢＳから穴位置ＨＬＰまでの高さをｈ１とし、基準面ＢＳから凸部ＣＶまでの高さをｈ２とする場合に、基準面ＢＳから穴位置ＨＬＰまでの高さｈ１は、基準面ＢＳから凸部ＣＶまでの高さｈ２よりも低い。つまり、ｈ２＞ｈ１であり、凸部ＣＶは穴位置ＨＬＰよりも高い位置に形成される。
【００７０】
ここで、凸部ＣＶは、バンドＢＤの短辺方向ＳＤＲに沿った断面の裏面側の輪郭線ＳＯＬにおいて、基準面ＢＳからの距離が最も大きくなる頂点部分ＭＸを含む所与の範囲である。また、頂点部分ＭＸとは、輪郭線ＳＯＬが形成するウェーブ形状において、上りから下りに切り替わる頂点を含む所与の範囲のことを言う。頂点部分ＭＸは、ウェーブ形状の極大点と言うこともできる。なお、頂点部分ＭＸは、頂点が平坦であってもよい。例えば図１６及び図１７の例では、嵌合穴ＨＬ（又は穴位置ＨＬＰ）を基準にして、輪郭線ＳＯＬを二つの範囲に分けることができるが、凸部ＣＶは、二つの範囲のうちの極大点ＭＸを含む方の範囲である。
【００７１】
次に、穴位置ＨＬＰは、バンドＢＤの短辺方向ＳＤＲに沿った断面の裏面側の輪郭線ＳＯＬにおいて、嵌合穴ＨＬに対応する位置のことである。例えば図１６及び図１７の例では、穴位置ＨＬＰは、輪郭線ＳＯＬ上の嵌合穴ＨＬの一端から他端までの範囲の中点に対応する位置である。ただし、穴位置ＨＬＰはこれに限定されず、例えば輪郭線ＳＯＬ上の嵌合穴ＨＬの一端の位置ＨＰ１又は他端の位置ＨＰ２を、穴位置ＨＬＰとしてもよい。
【００７２】
そして、基準面ＢＳは、バンドＢＤの表面に対応する仮想平面である。例えば図１６及び図１７の例では、表面が実際に平面であり、基準面ＢＳは表面と一致している。ただし、本実施形態はこれに限定されず、表面が平面でない場合にも、仮想平面である基準面ＢＳを設定可能である。例えば図１８及び図１９に、表面が平面でない場合の例を示す。図１８及び図１９においても、図１６及び図１７と同様に、バンドＢＤの短辺方向ＳＤＲに沿った断面を図示している。そして、図１８の例では、裏面２１と同様に、表面２２の輪郭線ＳＯＬ２がウェーブ形状を有しており、図１９の例では、表面２２の輪郭線ＳＯＬ２が三角波を描くギザギザの形状（裏面２１のウェーブ形状よりも細かいピッチの凹凸を含む形状）になっている。この場合に、図１８の例では、表面２２の一端ＥＰ１から他端ＥＰ２を繋ぐ仮想平面を基準面ＢＳに設定し、基準面ＢＳからの高さｈ２によって、凸部ＣＶを定義することができる。図１９の例についても同様である。図１９のような形状を有する表面２２は、衣服などとの接触面積を低減することができるため、スムーズな袖通りを実現することができる。
【００７３】
これにより、図２０に示すように、被検体がバンドＢＤ（または活動情報検出部）を装着した際に、裏面２１の凸部ＣＶに対応する領域が、被検体の肌（装着部位、表面）ＳＫに当接（接触）する。一方で、図２０のＦＰ１に示すように、凸部ＣＶを支点として、被検体の肌ＳＫに対してバンドＢＤが持ち上げられる（浮く）ため、裏面２１の凸部ＣＶ以外の領域の中には、被検体がバンドＢＤを装着した場合でも、被検体の肌に当接しない領域ができる。これにより、バンドＢＤの装着時に被検体の肌に当接しない領域と被検体の肌との隙間に、空気（図２０のＡＩＲ）を進入させることが可能になり、通気性を向上することができる。よって、バンドの装着時の不快感を抑制することができる。例えばバンド１１の装着部位における痒みや痛み、かぶれの発生を抑制することが可能となる。
【００７４】
さらに図１６に示すように、裏面２１側の輪郭線ＳＯＬは、凹部ＤＩを有している。そして、基準面ＢＳから凹部ＤＩまでの高さをｈ３とした場合に、基準面ＢＳから凹部ＤＩまでの高さｈ３は、基準面ＢＳから穴位置ＨＬＰまでの高さｈ１よりも低い。つまり、ｈ２＞ｈ１＞ｈ３であり、凹部ＤＩは穴位置ＨＬＰよりも低い位置に形成される。
【００７５】
ここで、凹部ＤＩは、バンドＢＤの短辺方向ＳＤＲに沿った断面の裏面側の輪郭線ＳＯＬにおいて、基準面ＢＳからの距離が最も小さくなる底点部分ＭＩを含む所与の範囲である。また、底点部分ＭＩとは、輪郭線ＳＯＬが形成するウェーブ形状において、下りから上りに切り替わる底点（底辺）を含む所与の範囲のことを言う。底点部分ＭＩは、ウェーブ形状の極小点と言うこともできる。なお、底点部分ＭＩは、底辺が平坦であってもよい。例えば図１６及び図１７の例では、嵌合穴ＨＬ（又は穴位置ＨＬＰ）を基準にして、輪郭線ＳＯＬを二つの範囲に分けることができるが、凹部ＤＩは、二つの範囲のうちの極小点ＭＩを含む方の範囲である。
【００７６】
これにより、図２０に示すように、被検体がバンドＢＤを装着した際に、裏面２１の凸部ＣＶに対応する領域と被検体の肌が当接状態（接触状態）になり、裏面２１の凹部ＤＩに対応する領域と被検体の肌が非当接状態（非接触状態）になる。そのため、バンドＢＤを装着した際に、裏面２１の凹部ＤＩに対応する領域と被検体の肌との間に隙間（図２０のＦＰ１）を形成することが可能になり、この隙間に空気（図２０のＡＩＲ）を通すこと等が可能になる。なお、本実施形態では、図２０に示すＦＰ１のような、バンドと皮膚ＳＫとの間の隙間が常に確保されている必要は無く、ユーザーの腕の動きによって一時的に空間が生じる程度の小さい凹凸があっても良い。
【００７７】
また、図１６に示すように、バンドＢＤは、裏面及び表面に交差する第１の側面ＳＳ１及び第２の側面ＳＳ２を有している。そして、裏面において、第１の側面ＳＳ１に対応する位置を第１の側面位置ＳＰ１とし、裏面において、第２の側面ＳＳ２に対応する位置を第２の側面位置ＳＰ２とし、基準面ＢＳから側面位置ＳＰ１までの高さをｈ４とする。この場合、基準面ＢＳから側面位置ＳＰ１までの高さｈ４は、基準面ＢＳから凸部ＣＶまでの高さｈ２よりも低い。つまり、ｈ２＞ｈ４である。なお、図１６の例においては、基準面ＢＳから側面位置ＳＰ２までの高さもｈ４であり、基準面ＢＳから側面位置ＳＰ１までの高さと同じ高さである。
【００７８】
ここで、側面位置ＳＰ１（ＳＰ２）は、例えばバンドＢＤの短辺方向ＳＤＲに沿った断面において、裏面側の輪郭線ＳＯＬと、側面ＳＳ１（ＳＳ２）との交点のことである。言い換えれば、側面位置ＳＰ１（ＳＰ２）は、裏面側の輪郭線ＳＯＬにおけるバンドＢＤの側面側の一端（又は他端）の位置である。
【００７９】
さて、例えば被検体がバンドを装着してバンドが横ずれした際や、被検体が長時間装着した際には、バンド側面の裏面側の輪郭線（例えば図３のＳＳＯＬ）が被検体の肌に押し付けられ、被検体が痛みを感じたり、肌にバンドの痕が残ったりすることがある。この現象は、バンド側面の裏面側の輪郭線がウェーブ形状である場合に発生しやすい。
【００８０】
これに対し、本実施形態のバンドは、図１６及び図１７に示すように、基準面ＢＳから側面位置ＳＰ１（ＳＰ２）までの高さｈ４が一定となる。この場合には、前述した図１５に示すように、バンド側面の裏面側の輪郭線ＳＳＯＬが非ウェーブ形状になる。例えば、バンド側面の裏面側の輪郭線ＳＳＯＬが直線になる。
【００８１】
これにより、バンドが横ずれした際や、被検体が長時間装着した際に、被検体が痛みを感じたり、肌にバンドの痕が残ったりすることを抑制することができる。
【００８２】
以上をまとめると、バンドＢＤの短辺方向の断面における基準面ＢＳからの高さ関係は、ｈ２＞ｈ１＞ｈ３かつｈ２＞ｈ４＞ｈ３である。
【００８３】
これにより、図１６に示すように、バンドＢＤの短辺方向の断面において、穴位置ＨＬＰよりも高く盛り上がる領域（凸部ＣＶに対応する領域）と、穴位置ＨＬＰよりも低く窪む領域（凹部ＤＩに対応する領域）を、バンドＢＤの裏面に形成すること等が可能になる。また、図１５及び図１６、図１７等に示すように、バンドＢＤの短辺方向の断面において、基準面ＢＳからのバンドＢＤの側面ＳＳ１（ＳＳ２）の高さｈ４を、例えば一定にすること等が可能になる。
【００８４】
また、図１７に示すＧ−Ｇ’断面においては、凸部ＣＶと凹部ＤＩの位置関係が、図１６に示すＦ−Ｆ’断面の例と逆になっているが、各部の高さ関係は図１６の例と同様に、ｈ２＞ｈ１＞ｈ３である。また、ｈ２＞ｈ４＞ｈ３である。
【００８５】
すなわち、本実施形態においては、バンドＢＤの短辺方向の断面において、基準面ＢＳを基準とした場合に、凸部ＣＶに対応する領域が一番高く盛り上がっており、凹部ＤＩに対応する領域が一番低く窪んでいる。そして、穴位置ＨＬＰと側面位置ＳＰ１（ＳＰ２）は、凸部ＣＶの極大点ＭＸと凹部ＤＩの極小点ＭＩの間の位置である。なお、図１６及び図１７の例では、基準面ＢＳから穴位置ＨＬＰまでの高さｈ１と、基準面ＢＳから側面位置ＳＰ１（ＳＰ２）までの高さｈ４の大小は問わない。つまり、穴位置ＨＬＰ及び側面位置ＳＰ１（ＳＰ２）のいずれか一方が、基準面ＢＳを基準として、他方よりも高い位置又は低い位置であってもよいし、穴位置ＨＬＰ及び側面位置ＳＰ１（ＳＰ２）が同じ高さの位置であってもよい。
【００８６】
そして、本実施形態のバンドＢＤは、例えば図１６及び図１７に示すような断面形状が交互に折り重なって形成されている。なお、図６、図１３、図１４に示すように、バンドＢＤの長辺方向ＬＤＲにおいて、図１６のＦ−Ｆ’断面形状と、図１７のＧ−Ｇ’断面形状の間には、図１６の凸部ＣＶを図１７の凹部ＤＩへと連続的にスムーズに繋ぎ、図１６の凹部ＤＩを図１７の凸部ＣＶへと連続的にスムーズに繋ぐ領域ＭＡが存在する。これにより、前述した図１３及び図１４に示すように、バンドの長辺方向ＬＤＲにおいて裏面２１の輪郭線ＯＬがウェーブ形状になる。
【００８７】
以上のように、本実施形態のバンド１１は、裏面２１の短辺方向ＳＤＲ及び長辺方向ＬＤＲのどちらにおいても、ウェーブ形状を有している。その結果、図３に示すように、バンド１１の装着部位とバンド１１の間に、空気がより入りやすいようにして、通気性を向上すること等が可能になる。よって、バンド１１の装着部位における痒みや痛み、かぶれの発生を抑制することが可能となる。
【００８８】
また、図１６及び図１７に示すように、嵌合穴１６は、凸部ＣＶの最も高い位置と凹部ＤＩの最も低い位置を除く位置に形成されている。すなわち、嵌合穴１６は、バンド１１の短辺方向ＳＤＲに沿った断面において、基準面ＢＳとの距離が最大となる位置（極大点ＭＸ）と、基準面ＢＳとの距離が最小となる位置（極小点ＭＩ）とを除く位置に形成される。
【００８９】
例えば、本実施形態のバンドの比較例を図２１及び図２２に示す。図２１の例では、本実施形態のバンドとは異なり、バンドＢＤの短辺方向ＳＤＲに沿った断面において、裏面の輪郭線ＳＯＬの極大点ＭＸを含む領域に嵌合穴ＨＬが形成されている。また、図２２の例では、バンドＢＤの短辺方向ＳＤＲに沿った断面において、裏面の輪郭線ＳＯＬの極小点ＭＩを含む領域に嵌合穴ＨＬが形成されている。
【００９０】
ここで、図２１のバンドＢＤの側面の高さをｈ４１とし、図２２のバンドＢＤの側面の高さをｈ４２とし、ｈ４２＞ｈ４１であるものとする。そして、例えば図２１及び図２２に示すような断面形状が交互に折り重なって、バンドＢＤが形成される場合には、図２３に示すように、バンドＢＤの裏面における側面の輪郭線ＳＳＯＬ２がウェーブ形状になってしまう。そのため、前述したように、例えば被検体がバンドを装着してバンドが横ずれした際や、被検体が長時間装着した際には、バンド側面の裏面側の輪郭線（例えば図３のＳＳＯＬ）が被検体の肌に押し付けられ、被検体が痛みを感じたり、肌にバンドの痕が残ったりしてしまうことがある。また、図２１に示すように、バンドＢＤの短辺方向ＳＤＲに沿った断面において、極大点ＭＸを含む領域に嵌合穴ＨＬが形成されていると、バンドの装着時に嵌合穴ＨＬの縁が被検体の装着部位に当接して、被検体に痛みを感じさせたり、装着部位に嵌合穴ＨＬの痕を付けたりすることがある。
【００９１】
これに対し、本実施形態のバンドは、前述したように、バンド１１の短辺方向ＳＤＲに沿った断面において、極大点ＭＸと極小点ＭＩを除く位置に嵌合穴１６が形成される。そのため、前述した図１５及び図１６、図１７等に示すように、バンドＢＤの側面の高さを一定にすることができる。バンドＢＤの裏面側の輪郭線が凹凸のない直線であれば、例えばバンドＢＤの裏面側の輪郭線が被検体の肌に当接した場合でも、装着時の痛みやバンド痕の発生を抑制すること等が可能になる。また、前述したように、バンドＢＤの装着時に嵌合穴ＨＬの縁や、バンド側面の輪郭線が被検体の装着部位に当接して、被検体に痛みを感じさせたり、装着部位に嵌合穴ＨＬの痕を付けたりすることを抑制すること等が可能になる。
【００９２】
また、嵌合穴１６が上記の位置に形成されるため、図１６及び図１７の矢印ＹＳで示すように、バンド１１の短辺方向に沿った断面における裏面２１側の嵌合穴１６の輪郭線は、基準面ＢＳに対して傾いている。
【００９３】
これにより、図１６及び図１７に示すように、基準面ＢＳから嵌合穴１６の一端ＨＰ１までの高さｈ５と、基準面ＢＳから嵌合穴１６の他端ＨＰ２までの高さｈ６を異ならせること等が可能になる。さらに言い換えれば、穴位置ＨＬＰに対して第１の方向側の領域と、穴位置ＨＬＰに対して第１の方向と反対の第２の方向側の領域において、基準面ＢＳからの高さを異ならせることができる。なお、図１６の例では、穴位置ＨＬＰに対して第１の方向側の領域は、凸部ＣＶに対応する領域であり、穴位置ＨＬＰに対して第２の方向側の領域は、凹部ＤＩに対応する領域である。その結果、前述したように、バンドの通気性を向上させること等が可能になる。
【００９４】
さらに、図１６及び図１７に示すように、バンド１１の短辺方向に沿った断面における裏面２１側の輪郭線ＳＯＬは、穴位置ＨＬＰに対して点対称であるということもできる。ただし、本実施形態では、輪郭線ＳＯＬが穴位置ＨＬＰに対して厳密な点対称であることには限定されず、実質的に点対称であればよい。また、輪郭線ＳＯＬにける中点に穴位置ＨＬＰとしたとき、嵌合穴ＨＬは、穴位置ＨＬＰを含むように設定されているとも言える。
【００９５】
これにより、バンドの短辺方向ＳＤＲの断面におけるバンドの裏面の輪郭線ＳＯＬの形状を、穴位置ＨＬＰを中心に逆の形状にすること等が可能になる。その結果、前述したように、バンドの裏面において、基準面に対して盛り上がっている領域と、窪んでいる領域とを形成して、バンドの装着時に空気が進入するようにすること等が可能になる。
【００９６】
また、バンドの厚みに着目すると、本実施形態では、凸部ＣＶ及び穴位置ＨＬＰ間の厚さ（ｈ２−ｈ１）が、０．１０ｍｍ以上１．００ｍｍ以下であることが望ましい。さらに、凸部ＣＶ及び凹部ＤＩ間の厚さ（ｈ３−ｈ２）に関しては、０．２５ｍｍ以上１．５０ｍｍ以下であることが望ましい。
【００９７】
これにより、バンドＢＤの薄さを確保しつつ、バンドと被検体の肌の間に空気の進入路を形成すること等が可能になる。そのため、バンドの装着しやすさや、着用感を良好に保ちながら、バンド１１の装着部位における痒みや痛み、かぶれの発生を抑制すること等が可能となる。
【００９８】
４．変形例
次に、本実施形態の変形例について、図２４を用いて説明する。本変形例においては、図２４に示すように、バンドＢＤの短辺方向ＳＤＲに沿った断面における裏面側の輪郭線ＳＯＬが、凸部ＣＶ１（ＣＶ２）と平坦部ＦＡを有し、平坦部ＦＡに嵌合穴ＨＬが設けられている。
【００９９】
具体的に、図２４の例では、バンドＢＤの短辺方向ＳＤＲに沿った断面における裏面において、平坦部ＦＡに対して第１の方向ＤＲ１側に、輪郭線ＳＯＬが凸部ＣＶ１を形成し、平坦部ＦＡに対して第１の方向ＤＲ１と反対方向である第２の方向ＤＲ２側に、輪郭線ＳＯＬが凸部ＣＶ２を形成している。そして、凸部ＣＶ１と凸部ＣＶ２の間の平坦部ＦＡに、嵌合穴ＨＬが設けられている。この場合のバンドＢＤの短辺方向ＳＤＲの断面における基準面ＢＳからの高さ関係は、ｈ２１≧ｈ３１＞ｈ１１である。また、ｈ１１＝ｈ５１＝ｈ６１である。
【０１００】
このような構成によっても、凸部ＣＶ１と凸部ＣＶ２との間の平坦部ＦＡに空気が進入しやすくすること等が可能になる。その結果、前述したように、装着時の快適性を維持しつつ、装着時の通気性を向上させること等が可能になる。
【０１０１】
また、ウェーブ形状の波数や、波長、振幅等を最適化することで、通気性をさらに向上させることができる。
【０１０２】
例えば、バンド１１の短辺方向に沿った断面における裏面側のウェーブ形状の波数は、２以下であることが望ましい。
【０１０３】
ウェーブ形状は、前述したように、例えば、ある非周期的な波形が周期的に繰り返されて形成される。この場合、ウェーブ形状の波数とは、ウェーブ形状に含まれる波形の数である。具体的に、バンド１１の短辺方向に沿った断面における裏面２１側のウェーブ形状の波数は、１であることがより好ましい。例えば、前述した図１６では、図６のＦ−Ｆ’断面における裏面２１側のウェーブ形状の波数が１になっている。この場合には、ウェーブ形状自体が非周期的な波形であると言える。
【０１０４】
また、バンド部の裏面２１におけるウェーブ形状の波長は、バンド部の表面２２の短辺方向の長さよりも長くなるように設定されている。なお、ウェーブ形状の波長とは、バンドの短辺方向へのウェーブ形状における頂点部分と底点部分の間の距離の２倍に相当する長さのことである。例えば、ウェーブ形状の波長は、図１６の例では、極大点（頂点部分）ＭＸから極小点（底点部分）ＭＩまでの短辺方向ＳＤＲの距離の２倍の長さのことである。また、表面２２の短辺方向の長さとは、例えば図１６の例では、第１の側面ＳＳ１と第２の側面ＳＳ２との間の距離のことである。
【０１０５】
また、ウェーブ形状の振幅とは、ウェーブ形状の頂点部分と底部分の間の、バンド１１の厚み方向の距離のことである。例えば、ウェーブ形状の振幅は、図１６の例では、極大点（頂点部分）ＭＸから極小点（底点部分）ＭＩの間の厚み方向ＴＤＲの距離のことである。
【０１０６】
これにより、通気性をさらに向上させること等が可能になる。
【０１０７】
また、前述した図６に示すように、第１のバンド１１は、少なくとも複数の嵌合穴１６の形成領域１７において、ウェーブ形状を有していてもよい。
【０１０８】
ここで、複数の嵌合穴１６の形成領域１７とは、複数の嵌合穴１６のうち、第１のバンド１１の一端に最も近い嵌合穴の位置から、複数の嵌合穴１６のうち、第１のバンド１１の他端に最も近い嵌合穴の位置までの領域のことである。第１のバンド１１では、この複数の嵌合穴１６の形成領域１７が、被検体の肌と最も接触しやすい。
【０１０９】
これにより、第１のバンド１１のうち、被検体の肌に接触する部分の形状をウェーブ形状にすること等が可能になる。
【０１１０】
また、前述した図１及び図２に示すように、第２のバンド１２では、美錠部（又はバックル）１４からケース部３０との接続部位まで、ウェーブ形状が形成されていてもよい。
【０１１１】
これにより、第２のバンド１２のうち、被検体の肌に接触する部分の形状をウェーブ形状にすること等が可能になる。
【０１１２】
以上のように、本実施形態によれば、特別な材料や部品を追加することなく、バンドの形状を変更するだけで、装着時の痒みや痛み、かぶれ等の抑制効果を得ることができる。
【０１１３】
その他にも、本実施形態ではバンドに対して以下のような処理を施し、各種効果を増強することも可能である。
【０１１４】
例えば、バンドの材質を放熱性の高い材料（例えばシリコーン等）にすれば、発汗による蒸れや濡れの軽減効果をより高めることができる。また、バンドの材質を肌への刺激が小さい材料（例えばシリコーン等）にすることにより、痒みやかぶれを低減できる。
【０１１５】
さらに、バンドの表面に摩擦抵抗値を下げる材料（例えばフッ素材等）を塗布することにより、バンド表面のべたつきを減らし、痒み・かぶれを低減できる。
【０１１６】
そして、バンドのウェーブ形状の表面にシボ加工を施すことで、バンドの表面に微小な凸凹を作ってもよい。ここで、シボ加工とは、表面処理の一つで、物理的にシワ模様（微細な凹凸）をつけることである。これにより、空気の接触をより増やすことができ、蒸れ・濡れを軽減すること等が可能になる。
【０１１７】
若しくは、バンドのウェーブ形状の表面に微小なウェーブを施してもよい。例えば、フラクタル形状にしてもよい。これにより、蒸れ・濡れをさらに軽減することができる。
【０１１８】
また、バンドだけでなく、ケース部の裏側（手首側）にもウェーブ形状を施すことで効果を増すことが期待できる。
【０１１９】
また、ここまでに説明してきた本実施形態は、図１に示すような第１のバンド１１と第２のバンド１２を有する携帯型電子機器１００だけでなく、図２５に示すような、一本のバンド１０だけを有する携帯型電子機器１００にも適用可能である。図２５に示す携帯型電子機器１００は、バンド１０の裏面にケース部３０が設けられている。
【０１２０】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、携帯型電子機器の構成、動作も本実施形態で説明したものに限定されず、種々の変形実施が可能である。
【符号の説明】
【０１２１】
１０…バンド、１１…第１のバンド、１２…第２のバンド、１４…美錠部、
１５…係止部、１６…嵌合穴（複数の嵌合穴）、１７…形成領域、２１…第１の面（裏面）、
２２…第２の面（表面）、３０…ケース部、７０…表示部、８０…操作部、
９０…活動情報検出部、１００…携帯型電子機器、２００…手首
【図１】
2017196104.tif 000003
【図２】
2017196104.tif 000004
【図３】
2017196104.tif 000005
【図４】
2017196104.tif 000006
【図５】
2017196104.tif 000007
【図６】
2017196104.tif 000008
【図７】
2017196104.tif 000009
【図８】
2017196104.tif 000010
【図９】
2017196104.tif 000011
【図１０】
2017196104.tif 000012
【図１１】
2017196104.tif 000013
【図１２】
2017196104.tif 000014
【図１３】
2017196104.tif 000015
【図１４】
2017196104.tif 000016
【図１５】
2017196104.tif 000017
【図１６】
2017196104.tif 000018
【図１７】
2017196104.tif 000019
【図１８】
2017196104.tif 000020
【図１９】
2017196104.tif 000021
【図２０】
2017196104.tif 000022
【図２１】
2017196104.tif 000023
【図２２】
2017196104.tif 000024
【図２３】
2017196104.tif 000025
【図２４】
2017196104.tif 000026
【図２５】
2017196104.tif 000027